(57)【要約】【課題】電子機器が無線端末に取得させる識別情報を表示する表示手段として高度なものを備えずとも、簡易に無線接続を確立することができる無線通信システムにおける無線接続方法等を提供する。【解決手段】電子機器が、同一仕様の電子機器に共通の固定ストリングと、電子機器を個々に識別するための付加ストリングと、から成る識別情報のうち、付加ストリングを示す付加ストリング情報を表示し、無線端末が予め取得した固定ストリングと、無線端末が付加ストリング表示部に表示された付加ストリング情報に基づいて取得した付加ストリングと、から成る識別情報を含む無線端末からの接続要求を受信する。【選択図】図３
2014022907.tif 000002
【特許請求の範囲】
【請求項１】
無線アクセスポイントとして機能する電子機器と、前記電子機器と無線で通信する無線端末と、から構成される無線通信システムであって、
前記電子機器が、
同一仕様の前記電子機器に共通の固定ストリングと、前記電子機器を個々に識別するための付加ストリングと、から成る識別情報のうち、前記付加ストリングを示す付加ストリング情報を表示する付加ストリング表示部と、
前記識別情報を含む前記無線端末からの接続要求を受信する機器側通信部と、を備え、
前記無線端末が、
予め記憶した前記固定ストリングを読み出す固定ストリング読出部と、
前記付加ストリング表示部に表示された前記付加ストリング情報を光学的に読み取って、前記付加ストリングを取得する付加ストリング取得部と、
読み出された前記固定ストリングと、取得された前記付加ストリングと、から成る前記識別情報を含む前記接続要求を、前記電子機器に送信する端末側通信部と、を備えたことを特徴とする無線通信システム。
【請求項２】
前記付加ストリング表示部が、前記付加ストリング情報を点滅パターンにより表示する発光手段により構成されていることを特徴とする請求項１に記載の無線通信システム。
【請求項３】
前記電子機器が、
他の無線アクセスポイントから送信されたビーコン信号を受信するビーコン受信部と、
自機の前記固定ストリングと同一の固定ストリングを含む前記ビーコン信号を受信したか否かを判定する判定部と、
前記他の無線アクセスポイントの識別情報に、自機の前記固定ストリングと同一の固定ストリングを含む前記ビーコン信号を受信したと判定された場合、自機の前記付加ストリングを、前記他の無線アクセスポイントの識別情報を構成する付加ストリングとは異なるものに決定する付加ストリング決定部と、をさらに備えたことを特徴とする請求項１または２に記載の無線通信システム。
【請求項４】
前記電子機器が、
前記機器側通信部を、前記付加ストリング表示部に前記付加ストリング情報が表示されてから所定の非受付時間の間、前記無線端末からの前記接続要求を受け付けない非受付状態とし、前記非受付時間の経過後、前記無線端末からの前記接続要求を受け付ける受付状態に切り替える受付状態制御部と、
前記機器側通信部が前記受付状態にあるか、前記非受付状態にあるかを示す受付状態情報を表示する受付状態表示部と、をさらに備え、
前記無線端末が、
前記受付状態表示部に表示された前記受付状態情報を光学的に読み取って、前記機器側通信部が前記受付状態にあるか、前記非受付状態にあるかを取得する受付状態取得部と、
前記受付状態取得部により前記機器側通信部が前記非受付状態にあることが取得された際に、前記端末側通信部に前記接続要求を送信させ、当該接続要求により前記電子機器と無線接続された場合、前記端末側通信部に無線接続処理を中止させると共に、前記受付状態取得部により前記機器側通信部が前記受付状態にあることが取得された際に、前記端末側通信部に前記接続要求を再度送信させる通信制御部と、をさらに備えたことを特徴とする請求項３に記載の無線通信システム。
【請求項５】
前記電子機器が、
前記機器側通信部が前記受付状態となった後、所定の受付時間の間に、前記無線端末と無線接続しなかった場合、決定済みの前記付加ストリングとは異なる前記付加ストリングに基づいて、前記無線端末との無線接続を再度行うためのリトライ処理部を、さらに備え、
前記リトライ処理部は、前記付加ストリング決定部に、自機の前記付加ストリングを、前記他のアクセスポイントの識別情報を構成する付加ストリング、および決定済みの前記付加ストリングのいずれとも異なるものに決定し直させることを特徴とする請求項４に記載の無線通信システム。
【請求項６】
無線アクセスポイントとして機能する電子機器と、前記電子機器と無線で通信する無線端末と、から構成される無線通信システムで用いられる無線接続方法であって、
前記電子機器が、同一仕様の前記電子機器に共通の固定ストリングと、前記電子機器を個々に識別するための付加ストリングと、から成る識別情報のうち、前記付加ストリングを示す付加ストリング情報を表示する付加ストリング表示工程と、
前記無線端末が、予め記憶した前記固定ストリングを読み出す固定ストリング読出工程と、
前記無線端末が、表示された前記付加ストリング情報に基づいて、前記付加ストリングを取得する付加ストリング取得工程と、
前記無線端末が、読み出した前記固定ストリングと、取得した前記付加ストリングと、から成る前記識別情報を含む接続要求を、前記電子機器に送信する識別情報送信工程と、
前記電子機器が、送信された前記識別情報を受信する識別情報受信工程と、
を実施することを特徴とする無線接続方法。
【請求項７】
無線アクセスポイントとして機能し、無線端末と無線で通信する電子機器であって、
同一仕様の前記電子機器に共通の固定ストリングと、前記電子機器を個々に識別するための付加ストリングと、から成る識別情報のうち、前記付加ストリングを示す付加ストリング情報を表示する付加ストリング表示部と、
前記無線端末が予め取得した前記固定ストリングと、前記無線端末が前記付加ストリング表示部に表示された前記付加ストリング情報に基づいて取得した前記付加ストリングと、から成る前記識別情報を含む前記無線端末からの接続要求を受信する機器側通信部と、
を備えたことを特徴とする電子機器。
【請求項８】
コンピューターを、請求項７に記載の電子機器の各手段として機能させることを特徴とするプログラム。
【請求項９】
無線アクセスポイントとして機能する電子機器と無線で通信する無線端末であって、
同一仕様の前記電子機器に共通の固定ストリングと、前記電子機器を個々に識別するための付加ストリングと、から成る識別情報のうち、予め記憶した前記固定ストリングを読み出す固定ストリング読出部と、
前記電子機器に表示された、前記付加ストリングを示す付加ストリング情報に基づいて、前記付加ストリングを取得する付加ストリング取得部と、
読み出された前記固定ストリングと、取得された前記付加ストリングと、から成る前記識別情報を含む接続要求を、前記電子機器に送信する端末側通信部と、
を備えたことを特徴とする無線端末。
【請求項１０】
コンピューターを、請求項９に記載の無線端末の各手段として機能させることを特徴とするプログラム。
【発明の詳細な説明】
【技術分野】
【０００１】
本発明は、無線アクセスポイントとして機能する電子機器と、該電子機器と無線で通信する無線端末と、から構成される無線通信システム、無線接続方法、電子機器、無線端末およびプログラムに関するものである。
【背景技術】
【０００２】
従来、携帯電話機における画像情報をプロジェクターにより表示する画像表示システムにおいて、無線接続に関する知識がなくても、携帯電話機とプロジェクターとの無線接続を容易に確立することができるようにすべく、プロジェクターが、携帯電話機がプロジェクターにアクセスするのに必要な接続情報（ＳＳＩＤ（Service Set Identifier）やＷＥＰ（Wired Equivalent Privacy）の暗号化キーなど）を２次元コード化した接続情報コードを投射する一方、携帯電話機が、投射された接続情報コードを撮像し、その撮像画像から解析した接続情報に基づいて、プロジェクターと無線接続を確立するようにしたものが知られている。
【先行技術文献】
【特許文献】
【０００３】
【特許文献１】特開２００７−３１２１７９号公報
【発明の概要】
【発明が解決しようとする課題】
【０００４】
しかしながら、従来の画像表示システムにおいては、ＳＳＩＤなどの各接続情報の全体を携帯電話機に取得させる構成であることから、多くの情報量を表示可能な２次元コード化した接続情報コードを用いている。このため、プロジェクターのように、２次元コード化した接続情報コードを表示できる高度な表示手段を有する画像表示装置にしか、本無線接続方式を適用することができなかった。
【０００５】
本発明は、電子機器が無線端末に取得させる識別情報を表示する表示手段として高度なものを備えずとも、簡易に無線接続を確立することができる無線通信システム、無線接続方法、電子機器、無線端末およびプログラムを提供することを課題としている。
【課題を解決するための手段】
【０００６】
本発明の無線通信システムは、無線アクセスポイントとして機能する電子機器と、電子機器と無線で通信する無線端末と、から構成される無線通信システムであって、電子機器が、同一仕様の電子機器に共通の固定ストリングと、電子機器を個々に識別するための付加ストリングと、から成る識別情報のうち、付加ストリングを示す付加ストリング情報を表示する付加ストリング表示部と、識別情報を含む無線端末からの接続要求を受信する機器側通信部と、を備え、無線端末が、予め記憶した固定ストリングを読み出す固定ストリング読出部と、付加ストリング表示部に表示された付加ストリング情報を光学的に読み取って、付加ストリングを取得する付加ストリング取得部と、読み出された固定ストリングと、取得された付加ストリングと、から成る識別情報を含む接続要求を、電子機器に送信する端末側通信部と、を備えたことを特徴とする。
この場合、付加ストリング表示部が、付加ストリング情報を点滅パターンにより表示する発光手段により構成されていることが好ましい。
【０００７】
本発明の無線接続方法は、無線アクセスポイントとして機能する電子機器と、電子機器と無線で通信する無線端末と、から構成される無線通信システムで用いられる無線接続方法であって、電子機器が、同一仕様の電子機器に共通の固定ストリングと、電子機器を個々に識別するための付加ストリングと、から成る識別情報のうち、付加ストリングを示す付加ストリング情報を表示する付加ストリング表示工程と、無線端末が、予め記憶した固定ストリングを読み出す固定ストリング読出工程と、無線端末が、表示された付加ストリング情報に基づいて、付加ストリングを取得する付加ストリング取得工程と、無線端末が、読み出した固定ストリングと、取得した付加ストリングと、から成る識別情報を含む接続要求を、電子機器に送信する識別情報送信工程と、電子機器が、送信された識別情報を受信する識別情報受信工程と、を実施することを特徴とする。
【０００８】
本発明の電子機器は、無線アクセスポイントとして機能し、無線端末と無線で通信する電子機器であって、同一仕様の電子機器に共通の固定ストリングと、電子機器を個々に識別するための付加ストリングと、から成る識別情報のうち、付加ストリングを示す付加ストリング情報を表示する付加ストリング表示部と、無線端末が予め取得した固定ストリングと、無線端末が付加ストリング表示部に表示された付加ストリング情報に基づいて取得した付加ストリングと、から成る識別情報を含む無線端末からの接続要求を受信する機器側通信部と、を備えたことを特徴とする。
【０００９】
本発明の無線端末は、無線アクセスポイントとして機能する電子機器と無線で通信する無線端末であって、同一仕様の電子機器に共通の固定ストリングと、電子機器を個々に識別するための付加ストリングと、から成る識別情報のうち、予め記憶した固定ストリングを読み出す固定ストリング読出部と、電子機器に表示された、付加ストリングを示す付加ストリング情報に基づいて、付加ストリングを取得する付加ストリング取得部と、読み出された固定ストリングと、取得された付加ストリングと、から成る識別情報を含む接続要求を、電子機器に送信する端末側通信部と、を備えたことを特徴とする。
【００１０】
この構成によれば、無線端末が、識別情報のうち、固定ストリングを予め取得していることから、電子機器は、無線接続に際して、識別情報のうち付加ストリングを示す付加ストリング情報のみを表示して、無線端末に取得させればよい。このため、電子機器は、付加ストリング情報を、例えば発光手段の点滅パターンにより簡易に表示することができる。したがって、電子機器において、付加ストリング情報を表示するために複雑な表示手段を備える必要がない。そして、無線端末は、予め記憶した固定ストリングを読み出すと共に、電子機器が表示した付加ストリング情報に基づいて付加ストリングを取得し、この固定ストリングと付加ストリングとから成る識別情報を含む接続要求を電子機器に送信することで、同一仕様の電子機器のうちの特定の電子機器と無線接続を行うことができる。このように、電子機器が、無線端末に取得させる識別情報を表示する表示手段として高度なものを備えずとも、無線端末と簡易に無線接続を確立することができる。
ここで、識別情報（例えば、ＳＳＩＤ）のうち、固定ストリングは、同一仕様の電子機器に共通のものであり、複数の文字（数字を含む。以下同じ。）から構成される。他方、付加ストリングは、固定ストリングよりも文字数（桁数）の少ない文字で構成されており、１桁または２桁の文字で構成されることが好ましい。
【００１１】
上記の無線通信システムにおいて、電子機器が、他の無線アクセスポイントから送信されたビーコン信号を受信するビーコン受信部と、自機の固定ストリングと同一の固定ストリングを含むビーコン信号を受信したか否かを判定する判定部と、他の無線アクセスポイントの識別情報に、自機の固定ストリングと同一の固定ストリングを含むビーコン信号を受信したと判定された場合、自機の付加ストリングを、他の無線アクセスポイントの識別情報を構成する付加ストリングとは異なるものに決定する付加ストリング決定部と、をさらに備えたことが好ましい。
【００１２】
無線端末からの接続要求の到達範囲内において、無線接続を試みようとする電子機器（以下「電子機器Ａ」という。）以外に、同一仕様の他の電子機器（以下「電子機器Ｂ」という。）が存在する場合、両者の識別情報は固有ストリングが共通である。このことから、電子機器Ａの付加ストリングが、電子機器Ｂの付加ストリングと同じものに設定されてしまうと、電子機器Ａの識別情報が、電子機器Ｂの識別情報と同じになる。そのため、無線端末が、電子機器Ａとではなく、電子機器Ｂと無線接続してしまう場合がある。
この点、本構成によれば、電子機器Ａは、ビーコン受信部により、電子機器Ｂからのビーコン信号を受信した場合には、判定部により、自機（電子機器Ａ）の固定ストリングと同一の固定ストリングを含むビーコン信号を受信したと判定し、さらに、付加ストリング決定部により、自機（電子機器Ａ）の付加ストリングを、電子機器Ｂの付加ストリングとは異なるものに決定する。このため、無線端末が、同一仕様の他の電子機器（電子機器Ｂ）と無線接続してしまうことを防止することができる。
【００１３】
この場合、電子機器が、機器側通信部を、付加ストリング表示部に付加ストリング情報が表示されてから所定の非受付時間の間、無線端末からの接続要求を受け付けない非受付状態とし、非受付時間の経過後、無線端末からの接続要求を受け付ける受付状態に切り替える受付状態制御部と、機器側通信部が受付状態にあるか非受付状態にあるかを示す受付状態情報を表示する受付状態表示部と、をさらに備え、無線端末が、受付状態表示部に表示された受付状態情報を光学的に読み取って、機器側通信部が受付状態にあるか、非受付状態にあるかを取得する受付状態取得部と、受付状態取得部により機器側通信部が非受付状態にあることが取得された際に、端末側通信部に接続要求を送信させ、当該接続要求により電子機器と無線接続された場合、端末側通信部に無線接続処理を中止させると共に、受付状態取得部により機器側通信部が受付状態にあることが取得された際に、端末側通信部に接続要求を再度送信させる通信制御部と、をさらに備えたことが好ましい。
【００１４】
無線端末の接続要求の到達範囲に、無線接続を試みようとする電子機器（電子機器Ａ）以外に、同一仕様の他の電子機器（電子機器Ｂ）が存在する場合であって、電子機器Ａが電子機器Ｂからのビーコン信号を受信しないときには、電子機器Ａの付加ストリングが、電子機器Ｂの付加ストリングと同じものに決定される場合があるため、無線端末が、電子機器Ｂと無線接続してしまうおそれがある。この点、本構成によれば、電子機器Ａが、一旦、非受付状態となると共に、無線端末が、この非受付時間の間に接続要求を送信し、当該接続要求によって無線接続された場合には、電子機器Ａ以外の無線アクセスポイント（ここでは電子機器Ｂ）と無線接続されたことを意味するから、無線端末が、無線接続を中止するようにすることで、無線端末が、電子機器Ｂと無線接続してしまうことを防止することができる。
【００１５】
この場合、電子機器が、機器側通信部が受付状態となった後、所定の受付時間の間に、無線端末と無線接続しなかった場合、決定済みの付加ストリングとは異なる付加ストリングに基づいて、無線端末との無線接続を再度行うためのリトライ処理部を、さらに備え、リトライ処理部は、付加ストリング決定部に、自機の付加ストリングを、他のアクセスポイントの識別情報を構成する付加ストリング、および決定済みの付加ストリングのいずれとも異なるものに決定し直させることが好ましい。
【００１６】
電子機器Ａが非受付状態にある場合おいて、無線端末が接続要求を送信し、この接続要求によって無線接続されたときには、無線端末が、無線接続を中止するため、電子機器Ａは、非受付状態から受付状態となった後も、無線端末からの接続要求を受信しないことになるが、電気機器Ａが、リトライ処理において、付加ストリングを、リトライ処理前の付加ストリングとは別のものに決定し直す。このため、電子機器Ａの付加ストリングが電子機器Ｂの付加ストリングとは異なるものになる。したがって、リトライ処理においては、無線端末が、電子機器Ｂと無線接続されることなく、電子機器Ａと無線接続することができる。
【００１７】
本発明のプログラムは、コンピューターを、上記の電子機器の各手段として機能させることを特徴とする。
【００１８】
本発明のプログラムは、コンピューターを、上記の無線端末の各手段として機能させることを特徴とする。
【００１９】
これらのプログラムをコンピューターに実行させることにより、電子機器が無線端末に取得させる識別情報を表示する表示手段として高度なものを備えずとも、簡易に無線接続を確立することができる。
【図面の簡単な説明】
【００２０】
【図１】本発明の一実施形態に係る無線通信システムを示す図である。
【図２】無線通信システムを構成するテーププリンターおよび携帯端末のブロック図である。
【図３】無線通信システムのテーププリンターにおける無線接続処理の流れを示すフローチャートである。
【図４】無線通信システムの携帯端末における無線接続処理の流れを示すフローチャートである。
【図５】携帯端末の接続要求の到達範囲に、ユーザーが無線接続を試みようとするテーププリンターＡ以外に、同一仕様の他のテーププリンターＢが存在する場合であって、図（Ａ）は、テーププリンターＡがテーププリンターＢからのビーコン信号の到達範囲内に設置されている場合を示す図であり、図（Ｂ）は、テーププリンターＡがテーププリンターＢからのビーコン信号の到達範囲「外」に設置されている場合を示す図である。
【発明を実施するための形態】
【００２１】
以下、添付の図面を参照して、本発明の無線通信システム、無線接続方法、電子機器、無線端末およびプログラムに関する一実施形態について説明する。図１に示すように、無線通信システム１は、テーププリンター１００と、無線ＬＡＮ（Local Area Network）を介してテーププリンター１００と通信する携帯端末２００とで構成されている。この無線通信システム１においては、テーププリンター１００が、無線アクセスポイントとして機能すると共に、携帯端末２００で生成された印刷データを無線で受信し、受信した印刷データに基づいて印刷を行うようになっている。
【００２２】
テーププリンター１００は、印刷テープＴを繰り出し可能に収容したテープカートリッジＣを装着しており、印刷テープＴを繰り出しつつ、携帯端末２００から受信した印刷データに基づいて、印刷処理（印刷および切断）を行い、ラベルを作成する。また、後述する各種情報を表示するためのＬＥＤ（Light Emitting Diode）ランプ１０１を備えている。なお、本実施形態のテーププリンター１００は、キーボードやディスプレイなど、印刷画像の編集機能を備えていないが、これを備えたものであってもよい。
【００２３】
携帯端末２００は、タッチパネル２０２および撮像カメラ２０３などを備えた一般的なスマートフォンである。携帯端末２００には、テーププリンター１００専用のアプリケーションプログラム（以下「専用アプリ」という。）が、キャリアネットワーク２１９（図２参照）を介してダウンロードされ、インストールされている。この専用アプリは、携帯端末２００を、テーププリンター１００に送信する印刷データをユーザーの操作に基づいて生成できるように機能させるものであると共に、テーププリンター１００との無線接続が確立できるように機能させるものである。
【００２４】
図２に示すように、テーププリンター１００は、ＬＥＤランプ１０１と、入力ボタン１０２と、印刷部１０３と、機器側通信部１０４と、入出力制御回路１０５と、印刷制御回路１０６と、機器側制御部１０７とを備えている。
【００２５】
ＬＥＤランプ１０１は、入出力制御回路１０５により点灯・消灯が制御されており、その点灯・消灯状態により、携帯端末２００に取得させる各種情報を表示するようになっている（詳細は後述する）。入力ボタン１０２は、電源ボタン、印刷実行ボタン、無線接続処理を開始するための接続開始ボタンなどから構成されている。印刷部１０３は、印刷テープＴをテープカートリッジＣから繰り出しながら送る送りローラー、送られていく印刷テープＴに印刷を行うサーマルヘッド、印刷テープＴの印刷済み部分を切り離すカッターなどで構成されている。
【００２６】
機器側通信部１０４は、無線ＬＡＮのアクセスポイントとして、無線ＬＡＮのクライアント（ここでは携帯端末２００）との間で無線通信を行うためのものであり、無線通信を行うための電波を送受信する機器側Ｗｉ−Ｆｉ（Wireless Fidelity）アンテナ１１１と、変調器やアンプなどから成る機器側Ｗｉ−Ｆｉ制御回路１１２とを有している。なお、本実施形態では、無線ＬＡＮの通信規格としてＷｉ−Ｆｉを利用しているが、他の無線ＬＡＮ通信規格を利用してもよく、Bluetooth（登録商標）など他の通信方式を利用することも可能である。
【００２７】
入出力制御回路１０５は、機器側制御部１０７から出力された制御信号に基づいて、ＬＥＤランプ１０１の点灯および消灯を制御すると共に、入力ボタン１０２からの各種入力信号を、機器側制御部１０７に出力している。印刷制御回路１０６は、機器側制御部１０７からの制御信号に基づいて、印刷部１０３の各構成要素を制御している。
【００２８】
機器側制御部１０７は、ＣＰＵ１１５（Central Processing Unit）と、ＲＯＭ１１６（Read Only Memory）と、ＲＡＭ１１７（Random Access Memory）と、メモリー制御回路１１８とから構成されている。ＣＰＵ１１５は、ＲＯＭ１１６に格納された制御プログラムに従って、ＲＡＭ１１７内の各種データを処理し、テーププリンター１００の各部に各種制御信号を出力して、テーププリンター１００全体を統括制御している。この制御プログラムには、テーププリンター１００を、携帯端末２００との無線接続が確立できるように機能させるものが含まれる。さらに、ＲＯＭ１１６には、携帯端末２００と無線接続するための接続情報が記憶されている。接続情報としては、具体的にはＳＳＩＤや各種暗号化技術における事前共有キー（例えばＷＥＰの暗号化キー）を挙げることができる。
【００２９】
ここで、ＳＳＩＤなどの各接続情報は、固定ストリング（固定文字列）と付加ストリング（付加文字列）とから構成されている。固定ストリングは、同一仕様のテーププリンター１００に共通して予め設定されているものであり、例えば、ＳＳＩＤの固定ストリングは、テーププリンター１００の製品名を表す文字列（例えば「labelwriter」）である。他方、付加ストリングは、同一仕様のテーププリンター１００を個々に識別するためのものであり、後述するように、携帯端末２００との無線接続を試みる都度、「1」〜「8」までの数字が決定されるようになっている。例えば、付加ストリングとして「1」が決定された場合には、ＳＳＩＤは「labelwriter1」となる。もちろん、識別情報全体における付加ストリングの位置は末尾以外であってもよい。この付加ストリングは、他の識別情報にも同様に適用され、例えば、ＷＥＰの暗号化キーの固定ストリングが「20030116」である場合、暗号化キー全体としては「200301161」となる。ただし、ＭＡＣアドレス（Media Access Control address）のような機器にユニークな情報には適用されない。
【００３０】
また、機器側制御部１０７は、機器側通信部１０４を制御し、携帯端末２００からの接続要求（後述する）を受け付ける受付状態と、携帯端末２００からの接続要求を受け付けない非受付状態との間で切り替えるようになっている。機器側通信部１０４が非受付状態となった場合、携帯端末２００から接続要求を受信しても、それに対する接続応答を送信しないようになる。
【００３１】
ここで、ＬＥＤランプ１０１による各種情報の表示処理について説明する。ＬＥＤランプ１０１は、後述する接続開始同期期間であることを示す同期情報と、「1」〜「8」の付加ストリングを示す付加ストリング情報と、機器側通信部１０４が受付状態であるか非受付状態であるかを示す受付状態情報とを表示する。
【００３２】
まず、ＬＥＤランプ１０１は、所定の時間の間、点灯する（例えば、５秒間点灯が継続する）ことで、同期情報を表示する。この同期情報を携帯端末２００に取得させることにより、携帯端末２００に以下の付加ストリング情報等の表示を開始するためのスタートコンディションを成立させるようになっている。
【００３３】
また、ＬＥＤランプ１０１は、３ビットの点滅パターンにより、「1」〜「8」の付加ストリング情報を識別可能に表示する。点滅パターンは任意であるが、例えば、同一周期（例えば１秒間）のうち、長い時間の点灯状態「長」（例えば２／３秒間）と短い時間の点灯状態「短」（例えば１／３秒間）との２つの点灯状態の組み合わせに表示する。より具体的には、付加ストリング「1」を示す付加ストリング情報を、「長−短−短」の点滅パターンにより表示し、付加ストリング「2」を示す付加ストリング情報を、「短−長−短」の点滅パターンにより表示ようにする。なお、複数のＬＥＤランプ１０１を備えた構成とし、点灯状態にあるＬＥＤランプ１０１と消灯状態にあるＬＥＤランプ１０１との組み合わせにより、付加ストリング情報を表示するようにしてもよい。
【００３４】
さらに、ＬＥＤランプ１０１は、受付状態であることを示す受付状態情報を、所定の時間、点灯する（例えば、５秒間点灯が継続する）ことで表示し、非受付状態であることを示す受付状態情報を、所定の時間、消灯する（例えば、５秒間消灯が継続する）ことで表示する。なお、付加ストリング情報を表示するためのＬＥＤランプ１０１とは別に、受付状態情報を表示するためのＬＥＤランプ１０１を設け、それが点灯することで受付状態を表示し、消灯することで非受付状態を表示するようにしてもよい。また、受付状態情報や同期情報を、付加ストリング情報と同様に、ＬＥＤランプ１０１の点滅パターンにより表示してもよい。
【００３５】
本実施形態では、付加ストリング情報や受付状態情報を表示する手段として、ＬＥＤランプ１０１を用いたが、蛍光ランプなど他の発光手段を利用可能であることはいうまでもない。さらに、文字を表示可能な表示手段（例えば液晶ディスプレイ）により、付加ストリング情報等を文字により直接的に表示するようにしてもよい。
【００３６】
一方、携帯端末２００は、液晶ディスプレイ２０１と、タッチパネル２０２と、撮像カメラ２０３と、端末側通信部２０４と、携帯通信部２０５と、表示制御回路２０６と、パネル制御回路２０７と、カメラ制御回路２０８と、端末側制御部２０９とを備えている。
【００３７】
液晶ディスプレイ２０１は、ユーザーに対し各種情報を表示するものであり、例えば撮像カメラ２０３による撮像エリアないし撮像結果を表示する。タッチパネル２０２は、液晶ディスプレイ２０１の画面内で、任意の位置を指示するためのポインティングデバイスである。撮像カメラ２０３は、ＣＭＯＳ（Complementary Metal Oxide Semiconductor）やＣＣＤ（Charge Coupled Device）などのイメージセンサーから成るカメラで構成されており、静止画および動画を撮像（撮影）可能である。
【００３８】
端末側通信部２０４は、無線ＬＡＮのアクセスポイント（ここではテーププリンター１００）との間で無線通信を行うためのものであり、無線通信を行うための電波を送受信する端末側Ｗｉ−Ｆｉアンテナ２１１と、変調器やアンプなどから成る端末側Ｗｉ−Ｆｉ制御回路２１２とを有している。携帯通信部２０５は、キャリアネットワーク２１９と無線通信を行うためのものであり、無線通信を行うための電波を送受信する携帯通信アンテナ２１３と、変調器やアンプなどから成る携帯通信制御回路２１４とを有している。
【００３９】
表示制御回路２０６は、端末側制御部２０９の制御信号に基づいて、液晶ディスプレイ２０１の表示を制御する。パネル制御回路２０７は、タッチパネル２０２に指等が触れると、その位置を特定し、その座標データを端末側制御部２０９に出力する。カメラ制御回路２０８は、端末側制御部２０９の制御信号に基づいて、撮像カメラ２０３による撮像処理を制御すると共に、撮像カメラ２０３による画像信号を端末側制御部２０９に出力する。
【００４０】
端末側制御部２０９は、ＣＰＵ２１５と、ＲＯＭ２１６と、ＲＡＭ２１７と、メモリー制御回路２１８とから構成されている。ＣＰＵ２１５は、ＲＯＭ２１６に格納された制御プログラムや上記の専用アプリに従って、ＲＡＭ２１７内の各種データを処理し、携帯端末２００の各部に各種制御信号を出力して、携帯端末２００全体を統括制御している。この専用アプリには、テーププリンター１００と無線接続するための各接続情報の固定ストリングも含まれている。つまり、ＲＯＭ２１６には、テーププリンター１００と無線接続するための各接続情報の固定ストリング（例えばＳＳＩＤの「labelwriter」や暗号化キーの「20030116」）が記憶されている。
【００４１】
端末側制御部２０９は、撮像カメラ２０３がテーププリンター１００のＬＥＤランプ１０１を撮影した映像に関する、カメラ制御回路２０８から出力された画像信号を処理することによって、ＬＥＤランプ１０１の点滅パターンや点灯・消灯状態を判別して、ＬＥＤランプ１０１の表示する付加ストリング情報等の各種情報を取得するようになっている。なお、光センサーにより、ＬＥＤランプ１０１の点滅パターンや点灯・消灯状態を判別するようにしてもよい。また、端末側制御部２０９は、テーププリンター１００が各種情報を文字により表示する場合には、得られた画像信号を画像処理により解析し、表示された文字を認識するようにする。
【００４２】
次に、図３および図４を中心に、図２を参照しつつ、無線通信システム１におけるテーププリンター１００と携帯端末２００との無線接続処理の流れについて説明する。なお、接続情報については、ＳＳＩＤを例に説明するが、事前共有キーなどの他の接続情報についても、同様に適用される。また、ここでは、携帯端末２００の接続要求の到達範囲に、ユーザーが無線接続を試みようとするテーププリンター１００Ａ以外に、同一仕様の他のテーププリンター１００Ｂが存在する場合であって、図５（Ａ）に示すように、テーププリンター１００Ａがテーププリンター１００Ｂからのビーコン信号の到達範囲ＢＢのなかに設置されている場合（ケース１）について説明した後、図５（Ｂ）に示すように、テーププリンター１００Ａがテーププリンター１００Ｂからのビーコン信号の到達範囲ＢＢの外に設置されている場合（ケース２）について説明する。
【００４３】
なお、テーププリンター１００Ｂはテーププリンター１００Ａと同一仕様であることから、そのＳＳＩＤの固定ストリングは、テーププリンター１００Ａの固定ストリングと同じ「labelwriter」であり、付加ストリングは、後述するテーププリンター１００Ａにおける付加ストリングの決定方法と同様にして、「2」に決定されているものとする。また、無線アクセスポイントとして機能するテーププリンター１００Ｂは、一定の周期でビーコン信号を送信しており、そのビーコン信号には、テーププリンター１００ＢのＳＳＩＤ「labelwriter2」が含まれている。
【００４４】
まず、ケース１におけるテーププリンター１００Ａの動作から説明する。テーププリンター１００Ａは、ユーザーにより接続開始ボタンが押されると（Ｓ１０１；Ｙｅｓ）、テーププリンター１００Ａは、機器側制御部１０７が、他の無線アクセスポイントから、自機の固定ストリング「labelwriter」と同一の固定ストリングを含むビーコン信号を受信したか否かを判定し（Ｓ１０２）、その結果に基づいて、他の無線アクセスポイントの付加ストリングとは重複しないように、自機の付加ストリングを決定する（Ｓ１０３）。
【００４５】
具体的には、このケースでは、テーププリンター１００Ａは、機器側通信部１０４が、テーププリンター１００Ｂからのビーコン信号を受信し、機器側制御部１０７が、自機の固定ストリング「labelwriter」と同一の固定ストリングを含むビーコン信号を受信したと判定する。この場合、テーププリンター１００Ａは、機器側制御部１０７により、自機の付加ストリングを、「1」〜「8」の数字のうち、テーププリンター１００Ｂの付加ストリング「2」とは異なるもの（例えば「1」）に決定する。
【００４６】
テーププリンター１００Ａは、付加ストリングの決定後、接続開始同期期間となり、ＬＥＤランプ１０１が同期情報を表示する（Ｓ１０４）。つまり、ＬＥＤランプ１０１が所定の時間、点灯する。続いて、テーププリンター１００Ａは、ＬＥＤランプ１０１が、決定された付加ストリング「1」を表す付加ストリング情報を表示する（Ｓ１０５）。つまり、ＬＥＤランプ１０１が、例えば「長−短−短」のパターンで点滅する。
【００４７】
次に、テーププリンター１００Ａでは、機器側制御部１０７が、機器側通信部１０４を制御し、所定の非受付時間の間、携帯端末２００からの接続要求を受け付けない非受付状態とする。これと共に、機器側通信部１０４が非受付状態であることを示す受付状態情報を、ＬＥＤランプ１０１が表示する（Ｓ１０６）。つまり、ＬＥＤランプ１０１が、所定の時間、消灯する。この非受付時間において、後述するように、携帯端末２００から接続要求が送信されるが（Ｓ２０５）、機器側制御部１０７が非受付状態にあり、接続応答を送信しないため、携帯端末２００と無線接続されることはない。
【００４８】
非受付時間の経過後、テーププリンター１００Ａでは、機器側制御部１０７が、所定の受付時間の間、機器側通信部１０４を制御し、携帯端末２００からの接続要求を受け付ける受付状態とする。これと共に、機器側通信部１０４が受付状態であることを示す受付状態情報を、ＬＥＤランプ１０１が表示する（Ｓ１０７）。つまり、ＬＥＤランプ１０１が所定の時間、点灯する。
【００４９】
テーププリンター１００Ａは、機器側通信部１０４が受付状態となった後、所定の受付時間の間に、携帯端末２００から送信された接続要求を受信する。後述するように、この接続要求には、携帯端末２００に取得させた付加ストリング情報に基づく付加ストリング「1」から成るＳＳＩＤ「labelwriter1」が含まれており、これはテーププリンター１００ＡのＳＳＩＤ「labelwriter1」と一致する。テーププリンター１００Ａ、接続要求に応じて接続応答を送信し、無線接続を確立する（Ｓ１０８；Ｙｅｓ）。テーププリンター１００Ａは、無線接続を確立すると、無線接続処理を終了し、以後は、携帯端末２００と無線で通信を行う。
【００５０】
続いて、ケース１における携帯端末２００の動作について説明する。携帯端末２００は、ユーザーのタッチパネル２０２操作に基づいて、専用アプリを起動すると（Ｓ２０１）、撮像カメラ２０３による動画の撮影を開始し、テーププリンター１００ＡのＬＥＤランプ１０１に同期情報が表示されるのを待つ状態となる（Ｓ２０２）。このとき、ユーザーは、液晶ディスプレイ２０１を見て、テーププリンター１００ＡのＬＥＤランプ１０１が撮影されていることを確認する。
【００５１】
携帯端末２００は、テーププリンター１００ＡのＬＥＤランプ１０１に同期情報が表示されると（Ｓ１０４）、その撮影画像に基づき、端末側制御部２０９が、同期情報を取得（スタートコンディションを検出）する（Ｓ２０２；Ｙｅｓ）。続いて、テーププリンター１００ＡのＬＥＤランプ１０１に決定された付加ストリング「1」を示す付加ストリング情報が表示されると（Ｓ１０５）、携帯端末２００は、その撮影画像に基づき、付加ストリング「1」を取得する（Ｓ２０３）。
【００５２】
携帯端末２００は、テーププリンター１００ＡのＬＥＤランプ１０１に非受付状態である旨の受付状態情報が表示されると（Ｓ１０６）、端末側制御部２０９が、その撮影画像に基づき、テーププリンター１００Ａの機器側通信部１０４が非受付状態にあることを取得する（Ｓ２０４；Ｙｅｓ）。これに伴って、携帯端末２００は、端末側制御部２０９が、予め記憶した固定ストリング「labelwriter」を読み出すと共に、端末側通信部２０４が、読み出された「labelwriter」および取得された付加ストリング「1」から成るＳＳＩＤ「labelwriter1」を含む接続要求を送信する（Ｓ２０５）。このとき、携帯端末２００は、テーププリンター１００Ａの機器側通信部１０４が非受付状態にあるため、テーププリンター１００Ａと無線接続されることはない。また、携帯端末２００は、テーププリンター１００ＢのＳＳＩＤのうち付加ストリングが異なる（テーププリンター１００Ｂの付加ストリングは「2」である）ため、テーププリンター１００Ｂと無線接続されることもない（Ｓ２０６；Ｎｏ）。なお、携帯端末２００が固定ストリングを読み出すタイミングは、非受付状態を示す受付状態情報の取得より前であってもよい。
【００５３】
携帯端末２００は、テーププリンター１００ＡのＬＥＤランプ１０１に受付状態である旨の受付状態情報が表示されると（Ｓ１０７）、端末側制御部２０９が、その撮影画像に基づき、テーププリンター１００Ａの機器側通信部１０４が受付状態にあることを取得する（Ｓ２０７；Ｙｅｓ）。これに伴って、携帯端末２００は、端末側通信部２０４が、ＳＳＩＤ「labelwriter1」を含む接続要求を再度送信する（Ｓ２０８）。この再送信では、テーププリンター１００Ａの機器側通信部１０４が、受付状態にあるため、テーププリンター１００Ａの機器側通信部１０４から接続応答が送信され、これを受信して無線接続を確立し（Ｓ２０９；Ｙｅｓ）無線接続処理を終了する。以後は、テーププリンター１００Ａと無線で通信を行う。
【００５４】
なお、携帯端末２００は、テーププリンター１００Ａの機器側通信部１０４が受付状態にあることを取得した後、所定の時間までに、テーププリンター１００Ａと無線接続しなかった場合には（Ｓ２０９；Ｎｏ）、端末側制御部２０９が、無線接続処理の実行回数（例えば、受付状態を示す受付状態情報取得時の接続要求の送信回数）をカウントし、所定の最大処理回数ｍ回を上限として、リトライ処理を行う（Ｓ２１０；Ｙｅｓ）。携帯端末２００は、リトライ処理において、同期情報の表示待ち状態に戻る（Ｓ２０２）。また、リトライ処理をｍ回行っても無線接続されなかった場合には、リトライ処理を行わず（Ｓ２１０；Ｎｏ）、接続失敗（Ｓ２１１）として液晶ディスプレイ２０１上にエラー表示を行った上で、無線接続処理を終了する。
【００５５】
以上のように、携帯端末２００が、ＳＳＩＤのうち、固定ストリングを予め取得していることから、テーププリンター１００は、無線接続に際して、識別情報のうち付加ストリングを示す付加ストリング情報のみを表示して、携帯端末２００に取得させればよい。このため、テーププリンター１００は、ＬＥＤランプ１０１の点滅パターンにより付加ストリング情報を表示することができる。したがって、テーププリンター１００において、付加ストリング情報を表示するために複雑な表示手段を備える必要がない。そして、携帯端末２００は、予め記憶した固定ストリングを読み出すと共に、テーププリンター１００が表示した付加ストリング情報に基づいて付加ストリングを取得し、この固定ストリングと付加ストリングとから成るＳＳＩＤを含む接続要求を電子機器に送信することで、同一仕様の電子機器のうちの特定の電子機器と無線接続を行うことができる。さらに、テーププリンター１００Ａが、テーププリンター１００Ｂからのビーコン信号を受信すると、自機の付加ストリングを、ビーコン信号に含まれるテーププリンター１００Ｂの付加ストリングとは異なるものに決定することで、携帯端末２００が、テーププリンター１００Ｂと無線接続してしまうことを防止することができる。
【００５６】
次に、ケース２におけるテーププリンター１００Ａの動作について説明する。テーププリンター１００Ａは、ケース１と同様に、接続開始ボタンが押されると（Ｓ１０１；Ｙｅｓ）、機器側制御部１０７が、他の無線アクセスポイントから、自機の固定ストリング「labelwriter」と同一の固定ストリングを含むビーコン信号を受信したか否かを判定し（Ｓ１０２）、その結果に基づいて、他の無線アクセスポイントの付加ストリングとは重複しないように、自機の付加ストリングを決定する（Ｓ１０３）。
【００５７】
具体的には、このケースでは、テーププリンター１００Ａがテーププリンター１００Ｂからのビーコン信号の到達範囲ＢＢ「外」に設置されていることから、テーププリンター１００Ａは、自機の固定ストリング「labelwriter」と同一の固定ストリングを含むビーコン信号を受信してはいないと判定することになる。この場合、テーププリンター１００Ａは、機器側制御部１０７により、自機の付加ストリングを、「1」〜「8」の数字のうち、任意のものに決定するが、ここでは付加ストリングを「2」に決定したものとする。
【００５８】
次に、テーププリンター１００Ａは、ケース１と同様にして、ＬＥＤランプ１０１により同期情報を表示した（Ｓ１０４）後、決定された付加ストリング「2」を表す付加ストリング情報を、ＬＥＤランプ１０１が表示する（Ｓ１０５）。続いて、テーププリンター１００Ａは、ケース１と同様にして、機器側通信部１０４を非受付状態とすると共に、ＬＥＤランプ１０１が非受付状態である旨の受付状態情報を表示する（Ｓ１０６）。この非受付時間において、携帯端末２００から接続要求が送信されるが（Ｓ２０５）、機器側制御部１０７が非受付状態にあるため、携帯端末２００と無線接続されることはない。
【００５９】
さらに、テーププリンター１００Ａは、非受付時間の経過後、機器側通信部１０４を受付状態とすると共に、ＬＥＤランプ１０１が受付状態である旨の受付状態情報を表示する（Ｓ１０７）。このとき、携帯端末２００は、後述するように、同期情報の表示待ち状態となっているため（Ｓ２０２）、テーププリンター１００Ａは、受付時間の間、携帯端末２００からの接続要求を受信せず、携帯端末２００と無線接続されることはない（Ｓ１０８；Ｎｏ）。
【００６０】
この場合、テーププリンター１００Ａは、機器側制御部１０７が、無線接続処理の実行回数（付加ストリング決定の回数）をカウントし、所定の最大処理回数ｎ回を上限として、リトライ処理を行う（Ｓ１０９；Ｙｅｓ）。テーププリンター１００Ａは、リトライ処理において、機器側通信部１０４が、自機の付加ストリングを、「1」〜「8」の数字のうち、他の無線アクセスポイントのＳＳＩＤを構成する付加ストリング（ここでは検出されていない）、および決定済みの付加ストリング「2」のいずれとも異なるものに決定する（Ｓ１０３）。ここでは、テーププリンター１００Ａは、付加ストリングを「3」に決定したものとする。
【００６１】
テーププリンター１００Ａは、付加ストリングの決定後は、リトライ前の無線接続処理と同様にして、同期情報を表示する（Ｓ１０４）。その後、新たに決定した付加ストリングに基づく付加ストリング情報を表示する（Ｓ１０５）。さらに、機器側通信部１０４を非受付状態とすると共にＬＥＤランプ１０１により非受付状態である旨の受付状態情報を表示する（Ｓ１０６）。ここでも、携帯端末２００から接続要求が送信されるが（Ｓ２０５）、機器側制御部１０７が非受付状態にあるため、携帯端末２００と無線接続されることはない。非受付時間の経過後、機器側通信部１０４を受付状態とすると共に、ＬＥＤランプ１０１により受付状態である旨の受付状態情報を表示する（Ｓ１０７）。
【００６２】
テーププリンター１００Ａは、機器側通信部１０４が受付状態となった後、所定の受付時間の間に、携帯端末２００から送信された接続要求を受信する。後述するように、この接続要求には、携帯端末２００に取得させた付加ストリング情報に基づく付加ストリング「3」から成るＳＳＩＤ「labelwriter3」が含まれており、これはテーププリンター１００ＡのＳＳＩＤ「labelwriter3」と一致する。テーププリンター１００Ａは、接続要求に応じて接続応答を送信し、無線接続を確立する（Ｓ１０８；Ｙｅｓ）。テーププリンター１００Ａは、無線接続を確立すると、無線接続処理を終了し、以後は、携帯端末２００と無線で通信を行う。なお、リトライ処理をｎ回行っても無線接続されなかった場合には、リトライ処理を行わず（Ｓ１０９；Ｎｏ）、接続失敗（Ｓ１１０）として無線接続処理を終了する。
【００６３】
続いて、ケース２における携帯端末２００の動作について説明する。携帯端末２００は、ケース１と同様にして、専用アプリを起動すると（Ｓ２０１）、撮像カメラ２０３による動画の撮影を開始し、テーププリンター１００Ａに表示された同期情報を取得する（Ｓ２０２；Ｙｅｓ）。続いて、テーププリンター１００Ａにおいて、最初の無線接続処理で決定された付加ストリング「2」を示す付加ストリング情報が表示されると（Ｓ１０５）、携帯端末２００は、その撮影画像に基づき、付加ストリング「2」を取得する（Ｓ２０３）。
【００６４】
続いて、携帯端末２００は、ケース１と同様にして、テーププリンター１００Ａの機器側通信部１０４が非受付状態にあることを取得すると（Ｓ２０４；Ｙｅｓ）、これに伴って、固定ストリング「labelwriter」および取得した付加ストリング「2」から成るＳＳＩＤ「labelwriter2」を含む接続要求を送信する（Ｓ２０５）。このとき、携帯端末２００は、テーププリンター１００Ａの機器側通信部１０４が非受付状態にあるため、テーププリンター１００Ａと無線接続されることはない。しかしながら、携帯端末２００は、テーププリンター１００ＢのＳＳＩＤが、携帯端末２００からの接続要求に含まれるＳＳＩＤ「labelwriter2」と同じであるため、テーププリンター１００Ｂが受付状態にあれば、携帯端末２００からの接続要求に対して、テーププリンター１００Ｂの機器側通信部１０４から接続応答が送信され、携帯端末２００はこれを受信してテーププリンター１００Ｂと無線接続されてしまうことになる（Ｓ２０６；Ｙｅｓ）。
【００６５】
この場合、携帯端末２００は、端末側制御部２０９が、テーププリンター１００Ｂとの無線接続を中止し、同期情報の表示待ち状態に戻す（Ｓ２０２）。携帯端末２００は、テーププリンター１００Ａのリトライ処理において同期情報が表示されると（Ｓ１０４）、同期情報を取得する（Ｓ２０２；Ｙｅｓ）。その後、携帯端末２００は、テーププリンター１００Ａのリトライ処理で決定された付加ストリング「3」を示す付加ストリング情報が表示されると（Ｓ１０５）、付加ストリング「3」を取得する（Ｓ２０３）。
【００６６】
続いて、携帯端末２００は、テーププリンター１００Ａの機器側通信部１０４が非受付状態にあることを取得し（Ｓ２０４；Ｙｅｓ）、これに伴って、携帯端末２００は、端末側通信部２０４が、固定ストリング「labelwriter」および新たに取得された付加ストリング「3」から成るＳＳＩＤ「labelwriter3」を含む接続要求を送信する（Ｓ２０５）。このとき、携帯端末２００は、テーププリンター１００Ａの機器側通信部１０４が非受付状態にあるため、テーププリンター１００Ａと無線接続されることはない。また、携帯端末２００は、テーププリンター１００ＢのＳＳＩＤのうち付加ストリングが異なる（テーププリンター１００Ｂの付加ストリングは「2」である）ため、テーププリンター１００Ｂと無線接続されることもない（Ｓ２０６；Ｎｏ）。
【００６７】
携帯端末２００は、以後はケース１と同様にして、テーププリンター１００Ａにおいて、受付状態である旨の受付状態情報が表示されると（Ｓ１０７）、テーププリンター１００Ａの機器側通信部１０４が受付状態にあることを取得する（Ｓ２０７；Ｙｅｓ）。これに伴って、携帯端末２００は、端末側通信部２０４が、ＳＳＩＤ「labelwriter3」を含む接続要求を再度送信する（Ｓ２０８）。これにより、テーププリンター１００Ａの機器側通信部１０４から接続応答が送信され、これを受信して無線接続を確立し（Ｓ２０９；Ｙｅｓ）、無線接続処理を終了する。
【００６８】
以上のように、テーププリンター１００Ａがテーププリンター１００Ｂからのビーコン信号の到達範囲ＢＢの外に設置されていることで、テーププリンター１００の付加ストリングが、テーププリンター１００の付加ストリングと同じものに決定されてしまう場合にも、テーププリンター１００Ａが、一旦、非受付状態となると共に、この非受付状態において、携帯端末２００が接続要求を送信し、この接続要求によって無線接続された場合には、テーププリンター１００Ｂと無線接続されたことを意味するから、携帯端末２００が、無線接続を中止するようにすることで、携帯端末２００が、テーププリンター１００Ｂと無線接続してしまうことを防止することができる。
【００６９】
さらに、この場合、携帯端末２００が、無線接続を中止して、同期期間の表示待ち状態に戻るため、テーププリンター１００Ａは、非受付状態から受付状態となった後も、携帯端末２００からの接続要求を受信しないことになるが、テーププリンター１００Ａが、リトライ処理において、付加ストリングを、リトライ処理前の付加ストリングとは別のものに決定し直す。このため、テーププリンター１００Ａの付加ストリングが、テーププリンター１００Ｂの付加ストリングとは異なるものになる。したがって、リトライ処理においては、携帯端末２００が、テーププリンター１００Ｂと無線接続されることなく、テーププリンター１００Ａと無線接続することができる。
【００７０】
なお、本実施形態では、無線アクセスポイントとして機能する電子機器として、テーププリンター１００を例に挙げたが、これに限定されることはなく、例えば、他のプリンター、プロジェクター、映像記録再生装置（ビデオデッキ）に本発明を適用可能である。また、本実施形態では、テーププリンター１００と無線接続する無線端末として、携帯端末２００（スマートフォン）を例に挙げたが、これに限定されるものではなく、例えば、携帯電話機その他のＰＤＡ（Personal Digital Assistant）に本発明を適用可能である。
【００７１】
また、本実施形態では、専用アプリを、キャリアネットワーク２１９を介してダウンロードするようにしているが、専用アプリを各種記憶媒体（例えば、ＣＤ−ＲＯＭ、フラッシュメモリー）に格納して提供することも可能である。同様に、テーププリンター１００のＲＯＭ１１６に格納した、携帯端末２００との無線接続が確立できるように機能させるための制御プログラムについても、各種記憶媒体に格納して提供することが可能である。
【符号の説明】
【００７２】
１：無線通信システム、１００：テーププリンター、２００：携帯端末
【図１】
2014022907.tif 000003
【図２】
2014022907.tif 000004
【図３】
2014022907.tif 000005
【図４】
2014022907.tif 000006
【図５】
2014022907.tif 000007